(57)【特許請求の範囲】
【請求項１】
画像利用商材に使用する画像が加工画像か否かを判定する加工画像判定部と、
前記加工画像判定部によって加工画像と判定された画像の加工内容を判定する加工内容判定部と、
前記加工内容判定部によって判定された前記加工内容に基づいて前記画像利用商材における前記加工画像の配置およびサイズの少なくとも一方を決定する配置・サイズ決定部と、
前記配置・サイズ決定部によって決定された前記加工画像の配置およびサイズの少なくとも一方に基づいて前記加工画像をレイアウトし、前記画像利用商材を作成する画像レイアウト部とを備えることを特徴とする画像利用商材作成装置。
【請求項２】
前記加工内容は、前記加工画像の加工種別および前記加工画像の元画像に対する加工量を含むことを特徴とする請求項１に記載の画像利用商材作成装置。
【請求項３】
前記配置・サイズ決定部は、前記加工画像の元画像の撮影日時と前記加工画像の加工日時との差分である日付差分および前記加工内容に基づいて前記加工画像の配置およびサイズの少なくとも一方を決定することを特徴とする請求項１または２に記載の画像利用商材作成装置。
【請求項４】
作成された前記画像利用商材を表示する表示部または作成された前記画像利用商材を印刷する出力部を更に備えることを特徴とする請求項１〜３のいずれか一項に記載の画像利用商材作成装置。
【請求項５】
前記画像利用商材は、フォトブック、デジカメプリントまたはポストカードであることを特徴とする請求項１〜４のいずれか一項に記載の画像利用商材作成装置。
【請求項６】
前記加工内容判定部によって判定された加工内容を表示する加工内容表示部を備えることを特徴とする請求項１〜５のいずれか一項に記載の画像利用商材作成装置。
【請求項７】
前記加工内容表示部は、前記加工内容と共に前記加工画像を表示することを特徴とする請求項６に記載の画像利用商材作成装置。
【請求項８】
画像利用商材に使用する画像が元画像に加工を施した加工画像か否かを判定し、
加工画像と判定された画像の加工内容を判定し、
前記加工画像の前記加工内容に基づいて前記画像利用商材における前記加工画像の配置およびサイズの少なくとも一方を決定し、
決定された前記加工画像の配置およびサイズの少なくとも一方に基づいて前記加工画像をレイアウトすることで前記画像利用商材を作成することを特徴とする画像利用商材作成方法。
【請求項９】
前記加工内容は、前記加工画像の加工種別および前記加工画像の元画像に対する加工量を含むことを特徴とする請求項８に記載の画像利用商材作成方法。
【請求項１０】
前記加工画像の元画像の撮影日時と前記加工画像の加工日時との差分である日付差分および前記加工内容に基づいて前記加工画像の配置およびサイズの少なくとも一方を決定することを特徴とする請求項８または９に記載の画像利用商材作成方法。
【請求項１１】
前記画像利用商材は、フォトブック、デジカメプリントまたはポストカードであることを特徴とする請求項８〜１０のいずれか一項に記載の画像利用商材作成方法。
【請求項１２】
判定された加工内容を表示することを特徴とする請求項８〜１１のいずれか一項に記載の画像利用商材作成方法。
【請求項１３】
判定された加工内容と共に前記加工画像を表示することを特徴とする請求項１２に記載の画像利用商材作成方法。
【請求項１４】
請求項８〜１３のいずれか一項に記載の画像利用商材作成方法をコンピュータに実行させるための画像利用商材作成プログラム。
【請求項１５】
請求項１４に記載の画像利用商材作成プログラムを記録したコンピュータ読取り可能な記録媒体。
【発明の詳細な説明】
【技術分野】
【０００１】
本発明は、加工画像を用いて画像利用商材を作成する画像利用商材作成装置、画像利用商材作成方法、画像利用商材作成プログラムおよびその記録媒体に関するものである。
また、本発明は、加工画像か否かの判定および加工画像の加工内容の判定を行う加工画像判定装置、加工画像判定方法、加工画像判定プログラムおよびその記録媒体に関するものである。
【背景技術】
【０００２】
従来から、画像データを利用してフォトブック、コラージュまたはポストカードなどの画像利用商材を作成する画像利用商材作成装置および画像利用商材作成方法などが知られている。また、これらの画像利用商材の作成の際に、加工画像を利用することも十分考えられる。
【０００３】
特許文献１には、台紙に挿入されている画像と所望する他の画像との入れ替えを行う候補画像表示方法および装置等が開示されており、候補画像表示方法および装置に基づいてアルバム作成を行う旨が開示されている。
また、特許文献２には、デジタルカメラ等で撮影された複数の画像を補正加工処理しレイアウト枠に配置することで、アルバムを作成するアルバム作成装置およびアルバム作成方法が開示されている。
また、特許文献３には、複数枚のユーザ画像に優先順位を付け、優先順位に基づいてテンプレート上にユーザ画像を配置することで合成画像を生成する合成画像作成装置が開示されている。
【先行技術文献】
【特許文献】
【０００４】
【特許文献１】特開平０６−３２７６７０号公報
【特許文献２】特開２００１−３４６７９８号公報
【特許文献３】特開２００８−２６３７１０号公報
【発明の概要】
【発明が解決しようとする課題】
【０００５】
画像利用商材を作成する場合、画像利用商材に利用する画像は、ユーザにとって思い出深い、ユーザの思い入れのある画像であることが好ましい。また、ユーザによって手間を掛けて加工のなされた加工画像はそれだけユーザの思い入れのある画像であると考えられる。
【０００６】
特許文献１には、ユーザが操作を行うことでユーザの意向を反映させた画像利用商材を作成する旨が開示されているものの、ユーザの意向を反映させるためには、ユーザが画像利用商材における画像のレイアウトを直接変更しなければならない。
また、特許文献２には、主被写体が目立つ画像等を配置したアルバムを自動的に作成できるものの、所望の特徴を有する画像が無いことを前提としており、ユーザの画像に対する思い入れが反映されたアルバムは作成できていない。
また、特許文献３には、画像自体を解析し画像の内容を判断してレイアウトを行う旨の開示は見られるものの、そのようにして作成された画像利用商材は、必ずしもユーザの画像に対する思い入れが適切に反映された画像利用商材とは限らない。
【０００７】
本発明の目的は、ユーザの思い入れの強い加工画像を利用することで所望の画像利用商材を自動作成する画像利用商材作成装置、画像利用商材作成方法、画像利用商材作成プログラムおよびその記録媒体を提供することにある。
また、本発明の目的は、画像についてユーザの思い入れの強い加工画像か否かの判定を行い、また、加工画像である場合には、ユーザの加工画像に対する思い入れがどれほど強いものかを判定するために、加工画像の加工内容を判定する加工画像判定装置、加工画像判定方法、加工画像判定プログラムおよびその記録媒体を提供することにある。
【課題を解決するための手段】
【０００８】
上記課題を解決するために、本発明は、画像利用商材に使用する画像が加工画像か否かを判定する加工画像判定部と、加工画像判定部によって加工画像と判定された画像の加工内容を判定する加工内容判定部と、加工内容判定部によって判定された加工内容に基づいて画像利用商材における加工画像の配置およびサイズの少なくとも一方を決定する配置・サイズ決定部と、配置・サイズ決定部によって決定された加工画像の配置およびサイズの少なくとも一方に基づいて加工画像をレイアウトし、画像利用商材を作成する画像レイアウト部とを備えることを特徴とする画像利用商材作成装置を提供する。
【０００９】
また、加工内容は、加工画像の加工種別および加工画像の元画像に対する加工量を含むことが好ましい。
【００１０】
また、配置・サイズ決定部は、加工画像の元画像の撮影日時と加工画像の加工日時との差分である日付差分および加工内容に基づいて加工画像の配置およびサイズの少なくとも一方を決定することが好ましい。
【００１１】
また、作成された画像利用商材を表示する表示部または作成された画像利用商材を印刷する出力部を更に備えることを特徴とする請求項１〜３のいずれか一項に記載の画像利用商材作成装置。
【００１２】
また、画像利用商材は、フォトブック、デジカメプリントまたはポストカードであることが好ましい。
【００１３】
また、本発明は、画像が加工画像か否かを判定する加工画像判定部と、加工画像判定部によって加工画像と判定された画像の加工内容を判定する加工内容判定部と、加工内容判定部によって判定された加工内容を表示する加工内容表示部とを備えることを特徴とする加工画像判定装置を提供する。
【００１４】
また、加工内容表示部は、加工内容と共に加工画像を表示することが好ましい。
【００１５】
また、画像利用商材に使用する画像が元画像に加工を施した加工画像か否かを判定し、加工画像と判定された画像の加工内容を判定し、加工画像の加工内容に基づいて画像利用商材における加工画像の配置およびサイズの少なくとも一方を決定し、決定された加工画像の配置およびサイズの少なくとも一方に基づいて加工画像をレイアウトすることで画像利用商材を作成することを特徴とする画像利用商材作成方法を提供する。
【００１６】
また、加工内容は、加工画像の加工種別および加工画像の元画像に対する加工量を含むことが好ましい。
【００１７】
また、加工画像の元画像の撮影日時と加工画像の加工日時との差分である日付差分および加工内容に基づいて加工画像の配置およびサイズの少なくとも一方を決定することが好ましい。
【００１８】
また、画像利用商材は、フォトブック、デジカメプリントまたはポストカードであることが好ましい。
【００１９】
また、画像が加工画像か否かを判定し、加工画像と判定された画像の加工内容を判定し、判定された加工内容を表示することが好ましい。
【００２０】
また、加工内容と共に加工画像を表示することが好ましい。
【００２１】
また、本発明は、上述のいずれかに記載の画像利用商材作成方法をコンピュータに実行させるための画像利用商材作成プログラムを提供する。
【００２２】
また、本発明は、上述のいずれかに記載の加工画像判定方法をコンピュータに実行させるための加工画像判定プログラムを提供する。
【００２３】
また、本発明は、上述の画像利用商材作成プログラムを記録したコンピュータ読取り可能な記録媒体を提供する。
【００２４】
また、本発明は、上述の加工画像判定プログラムを記録したコンピュータ読取り可能な記録媒体を提供する。
【発明の効果】
【００２５】
本発明によれば、画像が加工画像か否かを判定し、加工画像である場合には、その加工内容を判定することで、加工画像に対するユーザの思い入れを適切に判定することができる。また、加工画像を利用することでユーザの画像に対する思い入れを適切に反映させた所望の画像利用商材を自動作成することができる。
【図面の簡単な説明】
【００２６】
【図１】本発明の実施の形態１に係る画像利用商材作成装置を備える画像利用商材作成システムを示すブロック図である。
【図２】図１の画像利用商材作成装置における画像利用商材の作成フローを示すフローチャートである。
【図３】加工画像の加工内容と画像レイアウトとの対応関係を規定するテーブルの一例である。
【図４】（Ａ）および（Ｂ）は、本発明の画像利用商材作成装置において作成された画像利用商材の一例を示す模式図である。
【図５】本発明の実施の形態２に係る画像利用商材作成装置を備える画像利用商材作成システムを示すブロック図である。
【図６】実施の形態２の画像利用商材作成装置において利用される日付差分を説明する説明図である。
【図７】加工画像の加工内容および日付差分と画像レイアウトとの対応関係を規定するテーブルの一例である。
【図８】発明の実施の形態３に係る画像利用商材作成装置を備える画像利用商材作成システムを示すブロック図である。
【図９】図８の画像利用商材作成装置における画像利用商材の作成フローを示すフローチャートである。
【図１０】本発明の画像利用商材作成装置において作成された画像利用商材の一例を示す模式図である。
【図１１】本発明の実施の形態４に係る加工画像判定装置を備える加工画像判定システムを示すブロック図である。
【図１２】図１１の加工画像判定装置における加工画像の判定フローを示すフローチャートである。
【発明を実施するための形態】
【００２７】
本発明に係る画像利用商材作成装置および画像利用商材作成方法を、添付の図面に示す好適実施形態に基づいて以下に詳細に説明する。
【００２８】
実施の形態１
図１は、本発明の実施の形態１に係る画像利用商材作成装置を含む画像利用商材作成システムの全体構成を示すブロック図である。図１に示す画像利用商材作成システムは、画像格納装置１と、画像格納装置１に接続された画像利用商材作成装置２とを備えている。
【００２９】
画像格納装置１は、画像利用商材に利用される複数の画像データを格納し、例えば、ＨＤＤやフラッシュメモリ等で構成される。なお、画像格納装置１は、インターネット上に設置された画像データサーバであってもよく、インターネットを通じてアップロードされた複数の画像データを格納してもよい。また、画像格納装置１の格納する複数の画像データは、例えば、少なくとも１つの画像データ群に分類される。画像データ群は、撮影期間および撮影者などによって分類されてもよく、画像解析等による画像の類似度に基づいて分類されてもよく、また、ユーザ自身によって分類がなされたものでもよい。
【００３０】
画像利用商材作成装置２は、画像データに基づいて画像利用商材を作成する。ここで画像利用商材とは、例えば、フォトブック、ポストカード、デジカメプリント等が挙げられ、また、有料か無料かは問われない。なお、実施の形態１では、作成される画像利用商材は予め決定されている。
画像利用商材作成装置２は、順次接続される加工画像判定部３、加工内容判定部４、配置・サイズ決定部５、および画像レイアウト部６と、画像レイアウト部６にそれぞれ接続される表示部７および出力部８とを備える。また、画像利用商材作成装置２は、加工画像判定部３、加工内容判定部４、配置・サイズ決定部５および画像レイアウト部６のそれぞれに接続する制御部９と、制御部９にそれぞれ接続する操作部１０および格納部１１を備える。
【００３１】
加工画像判定部３は、画像格納装置１から画像データを取得し、取得した画像データがユーザ等によって加工のなされた加工画像データであるか、未加工の元画像データであるかを判定する。加工画像判定部３における画像データの取得は、例えば、ユーザが画像格納装置１において少なくとも１つの画像データ群を指定し、指定された画像群の画像データを取得することにより行われる。また、加工画像判定部３における加工画像データか元画像データかの判定は、例えば、画像データに紐付いて画像データと共に記憶されるメタ情報の有無やメタ情報の内容に基づいて行われてもよく、また、画像データに基づく画像の大きさ、縦横比および色調等に基づいて判定してもよい。
【００３２】
加工内容判定部４は、加工画像データの加工内容を判定する。加工内容は、加工種別と加工量とに分類される。加工種別としては、例えば、元画像をセピア調等の加工画像とする色調加工、複数枚の元画像を１枚の加工画像にまとめるコラージュ、元画像の一部を切り取って加工画像とするトリミング、元画像の表示方向を変更して加工画像とする回転、赤目を補正する赤目補正、輪郭を強調するエッジ強調明るさ・コントラストを調整する明るさ・コントラスト補正等、ならびにこれらの組み合わせが考えられる。また、加工量としては、加工種別が色調加工の場合には色調の強弱、加工種別がコラージュの場合には元画像枚数、加工種別がトリミングの場合には元画像に対する加工画像の面積率、加工種別が回転の場合には、回転角度または回転回数、加工種別が赤目補正の場合には赤目補正の数、加工種別がエッジ強調の場合にはエッジ強調の強調度、加工種別が明るさ・コントラスト補正の場合には明るさおよびコントラストの変化量などが挙げられる。なお、加工種別が組み合わせられている場合には、例えば、加工種別における加工量をそれぞれ足し合わせることで加工画像全体の加工量を判定してもよい。
【００３３】
配置・サイズ決定部５は、加工内容判定部４によって判定のなされた加工内容に基づいて、画像利用商材における加工画像の配置およびサイズの少なくとも一方を決定する。ここで、配置とは、画像利用商材の台紙に対する画像の配置をいい、また、サイズとは、画像利用商材の台紙に対する面積比をいう。なお、台紙は、画像が配置されることで画像利用商材における背景となる。
画像レイアウト部６は、配置・サイズ決定部５において決定された配置およびサイズの少なくとも一方に基づいて、画像利用商材の台紙に加工画像をレイアウトし、画像利用商材データを作成する。
【００３４】
表示部７は、例えば、液晶ディスプレイであり、画像レイアウト部６において作成された画像利用商材データを画像利用商材として表示画面に表示する。
また、出力部８は、例えば、プリンタであり、画像レイアウト部６において作成された画像利用商材データを紙などの媒体に印刷することで、画像利用商材を作成する。
【００３５】
制御部９は、加工画像判定部３、加工内容判定部４、配置・サイズ決定部５および画像レイアウト部６のそれぞれを制御し、画像利用商材作成装置２の全体を制御する。
また、操作部１０は、ユーザの指示に基づき、制御部９を通じて画像利用商材作成装置２の各部を操作し、格納部１１は、各部の制御プログラムや、画像利用商材における画像レイアウトや台紙などの情報を格納し、制御部９からの指示に基づいて、これらの情報を画像利用商材作成装置２の各部に出力する。
【００３６】
次に、図２に示すフローチャートに基づいて図１に示した画像利用商材作成システムの動作を説明する。
まず、ステップＳ１として、画像利用商材作成装置２は、画像格納装置１に格納された複数の画像データからユーザが指定した少なくとも１つの画像データ群の画像データを取得する。なお、画像格納装置１には、未加工の元画像データおよび加工画像データが混在して格納されており、画像データ群も元画像データおよび加工画像データが混在している。なお、画像格納装置１に格納された各画像データは、撮影日時、加工日時および加工内容等を記載したＥｘｉｆ等のメタ情報を保持していてもよく、また、保持していなくてもよい。また、画像格納装置１は、メタ情報のみを画像データに紐付いた別データとして格納していてもよい。
【００３７】
次に、ステップＳ２として、画像利用商材作成装置２の加工画像判定部３は、画像格納装置１から取得した各画像データが、未加工の元画像データであるか、加工処理のなされた加工画像データであるかを判定する。元画像データか加工画像データかの判定は、例えば、画像データのメタ情報の有無に基づいて判定してもよく、メタ情報の内容から判定してもよく、また、画像データ自体から判定してもよい。例えば、メタ情報が無い画像データは、加工時にメタ情報が削除された画像データと判断できるため加工画像データと判定でき、メタ情報に加工内容が記載されている場合はその加工内容に基づいて加工画像データと判定でき、また、画像データに基づく画像の縦横比が通常画像と異なる場合や色調が単一である場合などは加工画像データと判定できる。
加工画像判定部３は、判定した画像データが加工画像データであった場合には、制御部９の指示に基づいて画像データを加工内容判定部４へ出力し、判定した画像データが元画像データであった場合には、制御部９の指示に基づき、ステップＳ７において画像データを別の画像データに切り替えた後、ステップＳ２で、この別の画像データに対して加工画像データであるか否かの判定を行う。なお、取得した画像データ群の全ての画像データが元画像データであった場合には、別の画像データ群を画像格納装置１から取得してもよい。
【００３８】
続くステップＳ３では、加工内容判定部４は、加工画像判定部３から出力された加工画像データの加工内容を判定する。上述のとおり、加工内容は、加工種別と加工量とに分類され、加工量は加工種別によって異なる。そのため、加工内容判定部４は、まず、加工画像データの加工種別を判定する。加工内容判定部４は、例えば、加工画像データのメタ情報に記載された加工内容に基づいて、色調加工、コラージュ、トリミング、回転、赤目補正、エッジ強調および明るさ・コントラスト補正等の加工種別を判定する。また、加工画像データのメタ情報に限らず、画像認識等を用いて画像自体から加工種別を判定してもよい。
【００３９】
次に、加工内容判定部４は、判定された加工種別に応じて加工画像の加工量を判定する。加工種別が色調加工である場合、例えば、セピア調加工である場合には、セピアの強弱に基づいて、セピアが強い場合には加工量・大と判定し、セピアが弱い場合には加工量・小と判定する。また、加工種別が複数枚画像の加工である場合、例えば、コラージュ加工である場合には、コラージュに用いられた元画像の枚数に基づいて、元画像の枚数が多い場合には加工量・大と判定し、元画像の枚数が少ない場合には加工量・小と判定する。
加工内容判定部４によって判定された加工内容は、加工画像データと共に制御部９の指示に基づいて配置・サイズ決定部５へ出力される。
【００４０】
ステップＳ４では、配置・サイズ決定部５において、加工内容判定部４から出力された加工内容に基づいて加工画像の配置およびサイズの少なくとも一方を決定する。具体的には、配置・サイズ決定部５は、図３に示す加工内容と画像レイアウトとの対応を記録したレイアウトテーブルを備え、加工画像の加工種別および加工量と作成される画像利用商材の種類と応じて、レイアウトテーブルに基づいて加工画像の配置およびサイズの少なくとも一方を決定する。
作成する画像利用商材がフォトブックの場合であって、加工種別が１枚画像の加工であり、加工量・大である場合、配置・サイズ決定部５は、例えば、図４（Ａ）に示すように、見開きページに加工画像１枚のみを配置するように、加工画像の配置およびサイズを決定する。また、加工種別が複数枚画像の加工であり、加工量・大である場合、例えば、図４（Ｂ）に示すように、加工画像をフォトブックの表紙として利用するように加工画像の配置およびサイズを決定する。
配置・サイズ決定部５において決定された加工画像の配置およびサイズの少なくとも一方の情報は、加工画像データと共に制御部９の指示に基づいて画像レイアウト部６へ出力される。
【００４１】
次のステップＳ５では、画像レイアウト部６は、配置・サイズ決定部５から出力された加工画像の配置およびサイズの少なくとも一方の情報と、加工画像データとに基づいて、加工画像をレイアウトすることで画像利用商材を作成する。作成された画像利用商材のデータは、制御部９の指示に基づいて表示部７および出力部８へ出力される。
最後のステップＳ６では、表示部７は、画像レイアウト部６から出力された画像利用商材のデータに基づいて画像利用商材を表示し、また、出力部８は、画像利用商材のデータに基づいて、紙媒体等に画像利用商材を印刷する。
【００４２】
上述のとおり、実施の形態１に係る画像利用商材作成装置は、加工内容に基づいて加工画像を画像利用商材に利用することで、ユーザの画像に対する思い入れを適切に反映させた所望の画像利用商材を自動作成することができる。
【００４３】
実施の形態２
また、実施の形態１では、配置・サイズ決定部５において加工内容に基づいて加工画像の配置およびサイズの少なくとも一方を決定していたが、例えば、加工画像データのメタ情報から加工画像の元画像の撮影日時および加工画像の加工日時が分かる場合には、これら撮影日時と加工日時との差分である日付差分を更に考慮して加工画像の配置およびサイズの少なくとも一方を決定してもよい。
【００４４】
図５は、本発明の実施の形態２に係る画像利用商材作成装置を含む画像利用商材作成システムである。実施の形態２に係る画像利用商材作成装置１０２は、図１に示した実施の形態１の画像利用商材作成装置２において、加工内容判定部４および配置・サイズ決定部５の代わりに日付差分・加工内容判定部１４および配置・サイズ決定部１５を用いたものである。加工画像判定部３、画像レイアウト部６、表示部７、出力部８、制御部９、操作部１０および格納部１１は、実施の形態１と同じであるため説明を省略し、実施の形態１と相違する日付差分・加工内容判定部１４および配置・サイズ決定部１５について説明する。
【００４５】
日付差分・加工内容判定部１４は、実施の形態１の加工内容判定部４において行われる加工画像データの加工内容の判定に加えて、加工画像の元画像の撮影日時と加工画像の加工日時との差分である日付差分を判定し、加工内容と日付差分とを配置・サイズ決定部１５へ出力する。
配置・サイズ決定部１５は、日付差分・加工内容判定部１４によって判定のなされた加工内容と日付差分とに基づいて、画像利用商材における加工画像の配置およびサイズの少なくとも一方を決定する。
【００４６】
次に、本発明の図５に示した画像利用商材作成システムの動作を説明する。なお、上述のとおり、実施の形態１との相違は、日付差分・加工内容判定部１４および配置・サイズ決定部１５の動作である。
日付差分・加工内容判定部１４は、加工画像判定部３から出力された加工画像データの日付差分および加工内容を判定する。なお、加工内容の判定は実施の形態１と同様であるため記載を省略する。
【００４７】
日付差分・加工内容判定部１４は、図６に示すように、例えば、加工画像データのメタ情報に記録された元画像の撮影日時と加工日時とに基づいて、日付差分を判定する。
日付差分・加工内容判定部１４によって判定された日付差分は、加工内容および加工画像データと共に制御部９の指示に基づいて配置・サイズ決定部１５へ出力される。
【００４８】
配置・サイズ決定部１５は、日付差分・加工内容判定部１４から出力された日付差分および加工内容に基づいて加工画像の配置およびサイズの少なくとも一方を決定する。具体的には、配置・サイズ決定部１５は、図７に示す加工内容および日付差分と画像レイアウトとの対応を記録したレイアウトテーブルを備え、日付差分、加工画像の加工種別および加工量および作成される画像利用商材の種類に応じて、レイアウトテーブルに基づいて加工画像の配置およびサイズの少なくとも一方を決定する。
配置・サイズ決定部１５において決定された加工画像の配置およびサイズの少なくとも一方の情報は、加工画像データと共に制御部９の指示に基づいて画像レイアウト部６へ出力される。
【００４９】
上述のとおり、実施の形態２に係る画像利用商材作成装置は、加工内容に加えて日付差分も考慮して加工画像を画像利用商材に利用することができるため、ユーザの画像に対する思い入れをより適切に反映させた所望の画像利用商材を自動作成することができる。
【００５０】
実施の形態３
実施の形態１および２では、加工画像の利用についてのみ説明したが、画像格納装置１には、未加工の元画像データと加工画像データとが混在しており、例えば、フォトブックなど、複数枚の画像を利用した画像利用商材を作成する場合、加工画像と併せて元画像を利用してもよい。
【００５１】
図８は、本発明の実施の形態３に係る画像利用商材作成装置を含む画像利用商材作成システムである。実施の形態３に係る画像利用商材作成装置２０２は、図１に示した実施の形態１の画像利用商材作成装置２において、加工画像判定部３および配置・サイズ決定部５の代わりに加工画像判定部２３および配置・サイズ決定部２５を用いたものである。加工内容判定部４、画像レイアウト部６、表示部７、出力部８、制御部９、操作部１０および格納部１１は、実施の形態１と同じであるため説明を省略し、実施の形態１と相違する加工画像判定部２３および配置・サイズ決定部２５について説明する。
【００５２】
加工画像判定部２３は、画像格納装置１から画像データを取得し、加工画像判定部３は、取得した画像データがユーザ等によって加工のなされた加工画像データであるか、未加工の元画像データであるかを判定する。加工画像判定部２３における加工画像データか元画像データかの判定は、実施の形態１の加工画像判定部３と同じである。加工画像判定部２３は、加工画像データを加工内容判定部４へ出力し、元画像データを配置・サイズ決定部２５へ出力する。
配置・サイズ決定部２５は、実施の形態１の配置・サイズ決定部５と同様に、加工内容判定部４によって判定のなされた加工内容に基づいて、画像利用商材における加工画像の配置およびサイズの少なくとも一方を決定するとともに、加工画像判定部２３から出力された元画像データの配置およびサイズの少なくとも一方を決定する。
【００５３】
次に、図９に示すフローチャートに基づいて図８に示した画像利用商材作成システムの動作を説明する。なお、上述のとおり、実施の形態１との相違は、加工画像判定部２３および配置・サイズ決定部２５の動作であり、図２に示したフローチャートとの相違は、ステップＳ１２とステップＳ１４である。
ステップＳ１２では、加工画像判定部２３は、制御部９の指示に基づいて画像格納装置１から画像データを取得し、取得した画像データが元画像データか加工画像データかを判定する。加工画像判定部２３は、取得した画像データが加工画像データの場合には、実施の形態１の加工画像判定部３と同様にその加工画像データを加工内容判定部４へ出力し、また、取得した画像データが元画像データであった場合には、その元画像データを配置・サイズ決定部２５へ出力する。
【００５４】
ステップＳ１４では、配置・サイズ決定部２５において、実施の形態１と同様に加工内容判定部４から出力された加工内容に基づいて加工画像の配置およびサイズの少なくとも一方を決定するとともに、加工画像判定部２３から出力された元画像データに基づく元画像の配置およびサイズの少なくとも一方を決定する。元画像の配置・サイズの決定は、元画像のメタ情報、例えば、元画像の撮影日時に基づいて決定してもよく、また、加工画像の配置およびサイズの少なくとも一方から元画像の配置およびサイズの少なくとも一方を決定してもよい。具体的には、図１０に示すように、複数の画像をコラージュすることで作成された加工画像がユーザの思い入れが最も強い画像であると判断して最も大きく配置し、次に、１枚の元画像を回転することで作成された加工画像が未加工画像よりもユーザの思い入れが強い画像であると判断してコラージュの加工画像の次に大きく配置し、最後に、未加工画像を配置することが考えられる。
配置・サイズ決定部２５において決定された加工画像の配置およびサイズの少なくとも一方の情報および元画像の配置およびサイズの少なくとも一方の情報は、加工画像データおよび元画像データと共に制御部９の指示に基づいて画像レイアウト部６へ出力される。
【００５５】
実施の形態３に係る画像利用商材作成装置２０２では、加工画像に加えて未加工の元画像も画像利用商材に利用することができるため、元画像と加工画像との関係からユーザの画像に対する思い入れをより適切に反映させた所望の画像利用商材を自動作成することができる。
なお、実施の形態３の元画像を利用する構成は、実施の形態２の日付差分を考慮した画像利用商材作成装置１０２に対しても適用できる。
【００５６】
また、実施の形態１〜３では、画像利用商材は予め決定されていることを前提としていたが、例えば、加工画像の加工内容に基づいて、または加工画像の加工内容および日付差分に基づいて、適切な画像利用商材を選択してもよい。
【００５７】
また、本発明の画像利用商材作成装置は、加工画像判定部において加工画像か未加工の元画像かの判定を行い、加工内容判定部において加工内容の判定を行っているが、画像格納装置がこれらの構成を備え、事前に加工画像の判定と加工内容の判定とを行い、画像データに紐付けてこれらの情報を格納していてもよい。実施の形態２のように加工内容判定部を日付差分・加工内容判定部に変えた場合も同様である。画像格納装置が、日付差分・加工内容判定部の構成を備え、事前に日付差分および加工内容の判定を行い、画像データに紐付けてこれらの情報を格納していてもよい。
【００５８】
また、本発明の画像利用商材作成装置の配置・サイズ決定部は、加工画像の配置およびサイズの少なくとも一方を決定するとともに、加工画像に応じた台紙を決定してもよい。その場合、画像レイアウト部は、制御部を通じて格納部に格納された台紙の情報を取得し、画像をレイアウトする台紙を決定された台紙に変更する。
例えば、画像利用商材がデジカメプリントであり、加工画像が１枚画像をセピア調に加工したものである場合には、レトロ感を出すために白縁付きのデジカメプリントとしてもよい。
【００５９】
また、配置・サイズ決定部は、加工画像自体を画像利用商材の背景として、つまり、画像利用商材の台紙として利用してもよい。
例えば、画像利用商材がポストカードであり、加工画像が複数枚画像をコラージュとして加工したものである場合には、コラージュの加工画像をポストカードの背景全体として利用し、他の加工画像をその上に配置してもよい。
【００６０】
また、加工内容判定部は、加工内容を点数化して加工スコアを付けることで加工内容の判定をしてもよく、配置・サイズ決定部は、加工スコアに基づいて画像の配置・サイズの決定を行ってもよい。例えば、未加工の元画像の加工スコアを０点とし、加工種別がコラージュの場合に加工スコアを１０点とし、更に、加工量として元画像枚数が５枚の場合に５点追加とすることや、加工種別が回転の場合に加工スコア１点とすることなどが考えられる。
加工内容を点数化することで、ユーザの画像に対する思い入れをより細やかに反映させた所望の画像利用商材を作成することができる。
【００６１】
実施の形態４
また、実施の形態１で示した画像格納装置１から取得した画像データについて、加工画像か否かの判定を行う加工画像判定部３と、加工画像と判定された場合に、その加工画像の加工内容を判定する加工内容判定部４とを有する本発明の加工画像判定装置を形成することができる。
図１１に示すように、本発明の実施の形態４に係る加工画像判定装置３０２は、実施の形態１と同様に画像格納装置１に接続され、図１に示した実施の形態１の画像利用商材作成装置２における加工画像判定部３および加工内容判定部４を利用するものである。加工画像判定装置３０２は、画像格納装置１から順次接続される加工画像判定部３、加工内容判定部４、加工内容表示部３７および加工内容出力部３８をそれぞれ備え、また、これらには、制御部９がそれぞれ接続し、制御部９には、実施の形態１と同様に、操作部１０と格納部１１とが接続される。なお、加工画像判定部３、加工内容判定部４、制御部９、操作部１０および格納部１１は、実施の形態１と同様であるため説明を省略し、実施の形態１と相違する加工内容表示部３７および加工内容出力部３８について説明する。
【００６２】
加工内容表示部３７は、例えば、図１の表示部７と同様に液晶ディスプレイ等によって構成され、加工内容判定部４において判定された加工内容を表示する。また、図１の表示部７と同様に、上述の加工内容の表示と共に、加工画像データに基づく加工画像自体を表示してもよい。
加工内容出力部３８は、加工内容判定部４において判定された加工内容を外部に出力する。また、加工内容と共に加工画像データを外部に出力してもよい。
【００６３】
次に、図１１に示した実施の形態４に係る加工画像判定装置３０２の動作を説明する。なお、上述のとおり、実施の形態１との相違は、加工内容表示部３７および加工内容出力部３８の動作である。
図１２のフローチャートに示すように、画像データの取得および加工内容の判定に関するステップＳ１〜Ｓ３、ステップＳ７については、実施の形態１と同様であるため記載を省略する。
【００６４】
ステップＳ８として、加工内容表示部３７は、制御部９の指示に基づいて加工内容判定部４から加工画像の加工内容を取得し、加工内容自体を表示する。なお、加工画像の加工内容と共に加工画像データを取得し、加工内容と共に加工画像を表示してもよい。
ユーザは加工内容表示部３７に表示された加工画像の加工内容を確認して、操作部１０から制御部９を介して加工内容出力部３８へ出力指示を出す。最後にステップＳ９として、加工内容出力部３８は、制御部９からの出力指示に基づいて加工内容を出力する。なお、加工内容と共に加工画像データを出力してもよい。
【００６５】
また、実施の形態４に係る加工画像判定装置３０２は、加工内容判定部４を備え、加工画像の加工内容を判定するが、加工内容判定部４の代わりに、実施の形態３の日付差分・加工内容判定部１４を備えてもよい。この場合、加工内容表示部３７は、日付差分・加工内容判定部１４から加工内容と共に日付差分を取得し、加工内容と共に日付差分を表示する。また、加工内容出力部３８は、加工内容と共に日付差分を出力する。上述と同様に、加工内容表示部３７は、加工内容および日付差分と共に加工画像自体を表示してもよく、また、加工内容出力部３８は、加工内容および日付差分と共に加工画像データを出力してもよい。
本発明の加工画像判定装置および加工画像判定方法を用いることで、加工画像に対するユーザの思い入れを適切に判定することができる。
【００６６】
なお、図１に示した画像利用商材作成装置は、コンピュータを用いて構成することができる。すなわち、加工画像判定部３、加工内容判定部４、配置・サイズ決定部５、画像レイアウト部６および制御部９の各部をＣＰＵおよびメモリ等と、図２のフローチャートの各ステップを実行させるための画像利用商材作成プログラムとから構成し、画像利用商材作成プログラムをコンピュータ読取り可能な記録媒体に記録することができる。また、記録媒体としては、ハードディスク、フレキシブルディスク、ＭＯ、ＭＴ、ＲＡＭ、ＣＤ−ＲＯＭ、ＤＶＤ−ＲＯＭ、ＳＤカード、ＣＦカード、ＵＳＢメモリ等の各種の記録メディアを使用することが可能である。
なお、図５に示した画像利用商材作成装置や、図１１に示した加工画像判定装置についてもコンピュータを用いて同様に構成することができる。
【００６７】
以上、本発明の加工画像判定装置、加工画像判定方法、加工画像判定プログラムおよびその記録媒体、ならびに画像利用商材作成装置、画像利用商材作成方法、画像利用商材作成プログラムおよびその記録媒体について詳細に説明したが、本発明は、上記実施形態に限定されるものではなく、本発明の要旨を逸脱しない範囲において、各種の改良や変更を行ってもよい。
【符号の説明】
【００６８】
１  画像格納装置、  ２、１０２、２０２  画像利用商材作成装置、  ３、２３  加工画像判定部、  ４  加工内容判定部、  ５、１５、２５  配置・サイズ決定部、  ６  画像レイアウト部、  ７  表示部、  ８  出力部、  ９  制御部、  １０  操作部、  １１  格納部、  １４  日付差分・加工内容判定部、  ３７  加工内容表示部、  ３８  加工内容出力部、  加工画像判定装置３０２。
【図１】
0005953294.tif 000002
【図２】
0005953294.tif 000003
【図３】
0005953294.tif 000004
【図４】
0005953294.tif 000005
【図５】
0005953294.tif 000006
【図６】
0005953294.tif 000007
【図７】
0005953294.tif 000008
【図８】
0005953294.tif 000009
【図９】
0005953294.tif 000010
【図１０】
0005953294.tif 000011
【図１１】
0005953294.tif 000012
【図１２】
0005953294.tif 000013